(57)【特許請求の範囲】
【請求項１】
上部が開口する凹状の腰掛け本体を有し、この腰掛け本体の上部には開口を有する便座部が設けられ、前記腰掛け本体及び前記便座部の内方に排泄物受け用の袋を配して排泄物受け凹部を設けた簡易トイレ装置であって、前記便座部は前記腰掛け本体の前後方向にスライド移動自在に設けられていることを特徴とする簡易トイレ装置。
【請求項２】
請求項１記載の簡易トイレ装置において、前記腰掛け本体の上部に設けられた凸条部若しくは凹条部にスライド自在に凹凸係合する凹条部若しくは凸条部が前記便座部の下部に設けられていることを特徴とする簡易トイレ装置。
【請求項３】
請求項１，２いずれか１項に記載の簡易トイレ装置において、前記便座部には、前記排泄物受け用の袋の開口部を係止保持する係止体が設けられていることを特徴とする簡易トイレ装置。
【請求項４】
請求項１〜３いずれか１項に記載の簡易トイレ装置において、前記開口を有する便座部は、開口の大きさが異なる複数の便座部が設けられていることを特徴とする簡易トイレ装置。
【発明の詳細な説明】
【技術分野】
【０００１】
本発明は、簡易トイレ装置に関するものである。
【背景技術】
【０００２】
従来から、主に非常時における排泄の際に使用されるもので、例えば特許第４４５２５９１号に提案されているような簡易トイレ装置（以下、従来例）が種々提案されている。
【０００３】
この従来例は、金属製の枠状部材同士をＸ字状に枢着して脚部とし、この脚部同士の上端部間に布製の座部を設けたもので、座部の中央部には開口部が設けられており、脚部を開いて座部を張った状態とし、この座部の前記開口部に袋を配して排泄物受け凹部を形成するものである。
【０００４】
従って、従来例は、不使用時には、折り畳んだ状態で持ち運びや保管が行え、一方、使用時には、洋式トイレの便座に座るような感覚で排泄を行うことができ、しかも、排泄した後はこの排泄物を袋ごと廃棄すれば良く、後処理が簡易に行えることになる。
【先行技術文献】
【特許文献】
【０００５】
【特許文献１】特許第４４５２５９１号公報
【発明の概要】
【発明が解決しようとする課題】
【０００６】
本発明者は、前述した簡易トイレ装置について更なる研究・開発を進め、その結果、極めて商品価値の高い画期的な簡易トイレ装置を開発した。
【課題を解決するための手段】
【０００７】
添付図面を参照して本発明の要旨を説明する。
【０００８】
上部が開口する凹状の腰掛け本体１を有し、この腰掛け本体１の上部には開口を有する便座部２が設けられ、前記腰掛け本体１及び前記便座部２の内方に排泄物受け用の袋３を配して排泄物受け凹部４を設けた簡易トイレ装置であって、前記便座部２は前記腰掛け本体１の前後方向にスライド移動自在に設けられていることを特徴とする簡易トイレ装置に係るものである。
【０００９】
また、請求項１記載の簡易トイレ装置において、前記腰掛け本体１の上部に設けられた凸条部８若しくは凹条部にスライド自在に凹凸係合する凹条部９若しくは凸条部が前記便座部２の下部に設けられていることを特徴とする簡易トイレ装置に係るものである。
【００１０】
また、請求項１，２いずれか１項に記載の簡易トイレ装置において、前記便座部２には、前記排泄物受け用の袋３の開口部３ａを係止保持する係止体11が設けられていることを特徴とする簡易トイレ装置に係るものである。
【００１１】
また、請求項１〜３いずれか１項に記載の簡易トイレ装置において、前記開口を有する便座部２は、開口の大きさが異なる複数の便座部２が設けられていることを特徴とする簡易トイレ装置に係るものである。
【発明の効果】
【００１２】
本発明は上述のように構成したから、前述した従来例に比し、使用する際の様々な要求に対応することができて使い勝手が良いなど、極めて商品価値の高い画期的な簡易トイレ装置となる。
【図面の簡単な説明】
【００１３】
【図１】実施例１を示す斜視図である。
【図２】実施例１を示す平面図である。
【図３】実施例１を示す分解斜視図である。
【図４】実施例１の要部の動作説明図である。
【図５】実施例１の要部の動作説明図である。
【図６】実施例１の要部の動作説明図である。
【図７】実施例１の収納状態を示す斜視図である。
【図８】実施例１の使用状態説明図である。
【図９】実施例１の要部の説明図である。
【図１０】実施例１の使用状態説明図である。
【図１１】実施例１の使用状態説明図である。
【図１２】実施例２を示す斜視図である。
【図１３】実施例２を示す平面図である。
【図１４】実施例２を示す分解斜視図である。
【図１５】実施例２の要部の動作説明図である。
【図１６】実施例２の要部の説明図である。
【図１７】実施例２の使用状態説明図である。
【図１８】実施例２の使用状態説明図である。
【図１９】実施例２の使用状態説明図である。
【発明を実施するための形態】
【００１４】
好適と考える本発明の実施形態を、図面に基づいて本発明の作用を示して簡単に説明する。
【００１５】
便座部２を腰掛け本体１の前後方向にスライド移動させ、排泄が行い易い状態となるよう便座部２の位置を調整する。
【００１６】
即ち、例えば体格の小さな子供であれば便座部２が腰掛け本体１の前側（図８の状態）に位置した方が使い易く、一方、体格の大きな大人であれば便座部２が腰掛け本体１の後側（図10の状態）に位置した方が使い易く、よって、使用する人の体格に応じて便座部２を腰掛け本体１の前後方向にスライドさせて便座位置を調整することができる。
【００１７】
ところで、この種の簡易トイレ装置が使用される場面としては、例えば自動車での移動中に渋滞につかまった場合や、災害時の避難時などの緊急時が多いなどが考えられるが、これら車内の凹凸のある場所や災害時の屋外など、設置場所が必ずしも平坦で広いスペースという訳ではなく、設置場所によっては、使用する人の体格に関係なく、便座部２が前側に位置した方が使い易い場合や後側に位置した方が使い易いなど、便座部２の位置に対する要求は様々である。
【００１８】
つまり、平坦で広いスペースが確保されて設置場所が良好な常設トイレと異なり、この種の簡易トイレは便座部２の位置は重要となる。
【００１９】
この点、本発明は、便座部２は腰掛け本体１の前後方向にスライド移動自在に設けられており、よって、前述した使用する際の様々な要求に対応することができて使い勝手が良いことになる。
【実施例１】
【００２０】
本発明の具体的な実施例１について図１〜11に基づいて説明する。
【００２１】
本実施例は、上部が開口する凹状の腰掛け本体１を有し、この腰掛け本体１の上部には開口を有する便座部２が設けられ、腰掛け本体１及び便座部２の内方に排泄物受け用の袋３を配して排泄物受け凹部４を設けた簡易トイレ装置である。
【００２２】
以下、本実施例に係る構成各部について詳細な説明をする。
【００２３】
腰掛け本体１は、図１に図示したように適宜な合成樹脂製の部材で形成した有底箱状体であり、上部に便座部２が設けられる上側部５と、この上側部５の下部に折り畳み重合自在に枢着される下側部６とで構成されている。
【００２４】
上側部５は、前後部材５Ａ及び左右部材５Ｂから成る平面視方形状（長方形状）の枠状体で構成され、この上側部５の上部には便座部２が着脱自在にしてスライド自在に設けられている。
【００２５】
具体的には、上側部５の左右部材５Ｂの上端部間に便座部２が架設状態に載置される構成であり、更に、この上側部５の左右部材５Ｂ夫々の上端部には凸条部８が設けられ、この凸条部８には後述する便座部２の下部に設けられた凹条部９がスライド自在に凹凸係合する。
【００２６】
また、この上側部５の前後部材５Ａ及び左右部材５Ｂ夫々には、下側部６が内側に折り畳み重合自在に枢着されており、この下側部６は、上側部５を上方へ持ち上げた際、上側部５との枢着部を支点に回動して折り畳み重合状態から立設状態となり、この立設状態が維持されるように構成されている。
【００２７】
この下側部６は、上側部５の前後部材５Ａに枢着される前後壁６Ａと、上側部５の左右部材５Ｂに枢着される左右壁６Ｂと、この左右壁６Ｂの下端部に枢着される底壁６Ｃとで構成される平面視方形状の箱状体であり、上側部５と底壁６Ｃの間において前後壁６Ｓ及び左右壁６Ｂが内側に折り畳み重合可能に構成され、下側部６の立設状態の維持は、前後壁６Ａが左右壁６Ｂ間に架設され係合することにより行われる。
【００２８】
具体的には、前後壁６Ａは、図１，３に図示したように一枚物の板状体で形成されており、この前後壁６Ａは、上端部が上側部５の前後部材５Ａ夫々の下端部に枢着され、鉛直立設状態から内側へ回動自在となるように構成されている。
【００２９】
従って、この立設状態の前後壁６Ａを交互に内側へ回動させることで、互いに折り畳み重合状態となり、また、前後壁６Ａは、上側部５を上方へ持ち上げた際、自身の重みにより上側部５との枢着部を支点に回動して当該上側部５に対する折り畳み重合状態から立設状態となる（図４〜６参照）。
【００３０】
左右壁６Ｂは、図１，３に図示したように一対の板状体で形成されており、即ち、上側部５の左右部材５Ｂｃ夫々の下端部に枢着される上板体６ｂ'と、この上板体６ｂ'の下端部に対して上端部が枢着される下板体６ｂ"とで構成され、よって、左右壁６Ｂは、上側部５との枢着部を支点に鉛直立設状態から内側へ回動自在となり、且つ、上板体６ｂ'と下板体６ｂ"との枢着部を支点に内側へ屈曲回動（中折れ回動）するように構成されている。
【００３１】
また、左右壁６Ｂ（下板体６ｂ"）の下端部は底壁６Ｃの左右端部に起伏回動自在に枢着されている。
【００３２】
従って、この立設状態の左右壁６Ｂは、上側部５との枢着部，上板体６ｂ'と下板体６ｂ"との枢着部及び下板体６ｂ"と底壁６Ｃとの枢着部を支点に回動させることで折り畳み重合状態となり、また、この折り畳み重合状態の左右壁６Ｂは、上側部５を上方へ持ち上げた際、上側部５との枢着部，上板体６ｂ'と下板体６ｂ"との枢着部及び下板体６ｂ"と底壁６Ｃとの枢着部を支点に回動して折り畳み重合状態から立設状態となる（図４〜６参照）。
【００３３】
また、この左右壁６Ｂを立設状態とした際、この左右壁６Ｂ間には立設状態とした前後壁６Ａが架設状態で係合し、内側への回動が阻止され立設状態が維持される。
【００３４】
尚、本実施例では、左右壁６Ｂが中折れ回動する構造としたが、前後壁６Ａが中折れ回動する構造でも良く、また、この中折れ回動する部位は複数箇所でも良く、また、下側部６は前後壁６Ａ若しくは左右壁６Ｂのいずれか一方のみでも良い。
【００３５】
また、腰掛け本体１は、図４〜６に図示したように下側部６を立設状態とした際、対向する前後壁６Ａ間に架設状態となる折り畳み阻止体10が設けられている。
【００３６】
この折り畳み阻止体10は、適宜な合成樹脂製の部材で形成した長尺体であり、前後壁６Ａ間にのみ架設状態となるように設けられている。
【００３７】
従って、この折り畳み阻止体10を上側部５の下部に折り畳み重合状態とした下側部６の上に配設しておき、この状態で上側部５を上方へ持ち上げた際、下側部６が回動して立設状態となることに伴い、折り畳み阻止体10は底壁６Ｃまで自重で落下し、よって、前後壁６Ａ間に架設状態となり該前後壁６Ａの内側への回動を阻止することになる。このことから便座部２に腰掛けた際、不意に腰掛け本体１が下方へ座屈してしまうことが防止される。
【００３８】
便座部２は、図１〜３に図示したように適宜な木製の部材（桐，間伐材）で形成された平面視Ｃ字状の開口（貫通孔）を有する板状体であり、左右の側部２ａと、この側部２ａの基端部間に連設される連設部２ｂとから成り、前側部に切欠部２ｃを有する平面視Ｃ字状のものである。尚、便座部２は合成樹脂製でも良い。
【００３９】
また、切欠部２ｃを設けたのは、使用するに最適な向きを示す指標となる効果、陰部が当たるのを防止する効果が発揮される。
【００４０】
尚、便座部２は切欠部２ｃの無い平面視環状でもよく、また、木製や紙製（段ボール製）でも良い。
【００４１】
また、便座部２は、左右の側部２ａ夫々の下面側縁部には、凹条部９が設けられており、この凹条部９は前述した腰掛け本体１（上側部５）の上部に設けられる凸条部８とスライド自在に凹凸係合するように構成されている。
【００４２】
尚、上側部５の上部に凹条部を設け、この凹条部にスライド自在に凹凸係合する凸条部を便座部２の下部に設けても良い。
【００４３】
また、この便座部２の開口縁部には凹溝２ｄが形成され、この凹溝２ｄには平面視Ｃ字状の係止体11が沿設状態で嵌合配設される。
【００４４】
この係止体11は排泄物受け用の袋３を固定するためのもので、この係止体11に排泄物受け用の袋３の開口部３ａを内側から外側へ折り返し係止し、この状態で係止体11を便座部２の凹溝２ｄに嵌合させると、排泄物受け用の袋３は便座部２に係止保持された状態となる。
【００４５】
尚、開口を有する便座部２は、開口の大きさ（巾及び奥行の寸法）が異なる複数の便座部２を用意しても良い。
【００４６】
また、本実施例では、腰掛け本体１及び便座部２を収納ケース12に収納しており、更に、携帯タイプの洗浄機13と、パック詰めした籾殻炭14及び排泄物受け用の袋３のセットを収納している。
【００４７】
従って、この収納ケース12ごと保管したり持ち運ぶことができる。
【００４８】
本実施例は上述のように構成したから、例えば、不使用時には、腰掛け本体１をコンパクトな状態とし、一方、使用時には、このコンパクトな状態の腰掛け本体１を、便座部２が排泄に適した高さ位置となる状態とする。
【００４９】
この折り畳み重合構造によりコンパクトな状態の腰掛け本体１は、上側部５を上方へ持ち上げると、下側部６が上側部５との枢着部を支点に回動して折り畳み重合状態から立設状態となり、この立設状態が維持される。従って、この腰掛け本体１及び便座部２の内方に排泄処理用の袋３を配すれば、排泄物受け凹部４が形成される。
【００５０】
この際、使用者が子供などの体格が小柄な場合には、便座部２を前方位置へスライド移動させた状態（図８参照）とする。また、使用者が大人などの体格が大柄な場合には、便座部２を後方位置へスライド移動させた状態とする（図９，10参照）。
【００５１】
更にこの便座部２のスライド移動について言及すると、この種の簡易トイレ装置が使用される場面としては、例えば自動車での移動中に渋滞につかまった場合や、災害時の避難時などの緊急時が多いなどが考えられるが、これら車内の凹凸のある場所や災害時の屋外など、設置場所が必ずしも平坦で広いスペースという訳ではなく、設置場所によっては、使用する人の体格に関係なく、便座部２が前側に位置した方が使い易い場合や後側に位置した方が使い易いなど、便座部２の位置に対する要求は様々である。
【００５２】
つまり、平坦で広いスペースが確保されて設置場所が良好な常設トイレと異なり、この種の簡易トイレは便座部２の位置は重要となる。
【００５３】
この点、本実施例は、便座部２は腰掛け本体１の前後方向にスライド移動自在に設けられており、よって、前述した使用する際の様々な要求に対応することができて使い勝手が良いことになる。
【００５４】
この状態で便座部２に座ってこの排泄物受け凹部４に対して排泄を行う（必要に応じて洗浄機13で洗浄する。）。排泄後、排泄物処理剤14を排泄物20に掛けて排泄物受け用の袋３を外して、排泄物20が中に入ったままこの排泄物受け用の袋３を廃棄する。
【００５５】
よって、本実施例によれば、コンパクトな状態にできて持ち運びや保管が良好に行えるのは勿論、簡易トイレを簡易且つ迅速に現出させることができることになる。
【００５６】
また、本実施例は、上側部５は平面視方形状の枠状体で構成され、また、下側部６は、前後壁６Ａ，左右壁６Ｂ及び底壁６Ｃとで構成される平面視方形状の箱状体で構成され、上側部５と底壁６Ｃの間において左右壁６Ｂが内側に折り畳み重合可能に構成されているから、確実に前述した作用効果を発揮することになる。
【００５７】
また、本実施例は、下側部６を立設状態とした際、対向する壁６Ａ，６Ｂ間に架設状態となる折り畳み阻止体10が設けられているから、腰掛け本体１が不意に座屈したりしないなど、良好な使用状態が得られることになる。
【００５８】
また、本実施例は、便座部２は腰掛け本体１の前後方向にスライド移動自在に設けられているから、使用する場所や使用する人の体格など、使い勝手に合わせて便座部２の位置を調整できることになる。
【００５９】
また、本実施例は、上側部５の上部に設けられた凸条部８にスライド自在に凹凸係合する凹条部９が便座部２の下部に設けられているから、確実に便座部２をスライド移動させることができることになる。
【実施例２】
【００６０】
本発明の具体的な実施例２について図12〜19に基づいて説明する。
【００６１】
本実施例は、別タイプの便座部２及び排泄物受け用の袋３を設けた場合である。
【００６２】
具体的には、便座部２は、図12〜14に図示したように適宜な木製の部材（桐，間伐材）で形成された平面視細長Ｃ字状の開口（貫通孔）を有する板状体であり、左右の側部２ａと、この側部２ａの基端部間に連設される連設部２ｂとから成り、前側部に切欠部２ｃを有する平面視Ｃ字状のものである。尚、便座部２は合成樹脂製でも良い。
【００６３】
また、切欠部２ｃを設けたのは、使用するに最適な向きを示す指標となる効果、陰部が当たるのを防止する効果が発揮される。
【００６４】
尚、便座部２は切欠部２ｃの無い平面視環状でもよく、また、木製や紙製（段ボール製）でも良い。
【００６５】
また、便座部２は、左右の側部２ａ夫々の下面側縁部には、凹条部９が設けられており、この凹条部９は前述した腰掛け本体１（上側部５）の上部に設けられる凸条部８とスライド自在に凹凸係合するように構成されている。
【００６６】
尚、上側部５の上部に凹条部を設け、この凹条部にスライド自在に凹凸係合する凸条部を便座部２の下部に設けても良い。
【００６７】
また、この便座部２の開口縁部には平面視Ｃ字状の凹溝２ｄが形成され、この凹溝２ｄには平面視環状の係止体11が沿設状態で嵌合配設される。
【００６８】
この係止体11は排泄物受け用の袋３を固定するためのもので、適宜な金属製の棒材で平面方向から見て先端部が先細となる細長円形状に形成したものであり、便座部２の開口縁部に合致する形状で該便座部２の凹溝２ｄに圧入して嵌合配設し得るように構成されている。
【００６９】
従って、係止体11を凹溝２ｄに配設した際、凹溝２ｄは平面方向から見て前方部位が巾狭となるＣ字状であるから、この凹溝２ｄに配設された係止体11は前方部位への移動が阻止されることになる。
【００７０】
この係止体11に排泄物受け用の袋３の開口部３ａを内側から外側へ折り返し係止し、この状態で係止体11を便座部２の凹溝２ｄに嵌合させると、排泄物受け用の袋３は便座部２に係止保持された状態となる。
【００７１】
また、便座部２の凹溝２ｄの基端部には係止体11の外れを防止する板状の係止体外れ防止部２ｅが設けられており、この係止体11を凹溝２ｄに配設した状態において、係止体11の前端部に下方への力が加わっても該係止体11の基端部が係止体外れ防止部２ｅにより跳ね上がることがなく、係止体11が凹溝２ｄから外れてしまうことを可及的に防止することができる。
【００７２】
尚、開口を有する便座部２は、開口の大きさ（巾及び奥行の寸法）が異なる複数の便座部２を用意しても良い。
【００７３】
排泄物受け用の袋３は、図17〜19に図示したように底部（下部）が先鋭となる逆円錐状に形成されたものであり、上部開口部から入った排泄物20は底部に集められることになる。
【００７４】
また、排泄物受け用の袋３には封止部材15（結束バンド）が設けられており、上部開口部をすぼめた状態として封止し得るように構成されている。
【００７５】
その余は実施例１と同様である。
【００７６】
尚、本発明は、実施例１，２に限られるものではなく、各構成要件の具体的構成は適宜設計し得るものである。
【符号の説明】
【００７７】
１  腰掛け本体
２  便座部
３  排泄物受け用の袋
３ａ  開口部
４  排泄物受け凹部
８  凸条部
９  凹条部
11  係止体
【図１】
0005617004.tif 000002
【図２】
0005617004.tif 000003
【図３】
0005617004.tif 000004
【図４】
0005617004.tif 000005
【図５】
0005617004.tif 000006
【図６】
0005617004.tif 000007
【図７】
0005617004.tif 000008
【図８】
0005617004.tif 000009
【図９】
0005617004.tif 000010
【図１０】
0005617004.tif 000011
【図１１】
0005617004.tif 000012
【図１２】
0005617004.tif 000013
【図１３】
0005617004.tif 000014
【図１４】
0005617004.tif 000015
【図１５】
0005617004.tif 000016
【図１６】
0005617004.tif 000017
【図１７】
0005617004.tif 000018
【図１８】
0005617004.tif 000019
【図１９】
0005617004.tif 000020